(57)【特許請求の範囲】
【請求項１】
ＥＰＧ情報に基づいて電子番組表を生成して映像表示手段に表示し該表示された前記電子番組表に基づいて視聴番組を決定する手段とリモートコントロール装置を備えた映像表示装置において、
前記映像表示手段に表示された前記電子番組表のフォーカスエリアを変更するフォーカスエリア変更手段と、
前記フォーカスエリア変更手段とは独立して操作可能な別手段であって、前記フォーカスエリア内でフォーカス番組を移動させるフォーカス番組移動手段と、
前記フォーカス番組を視聴番組として決定する決定操作部とを備え、
前記フォーカスエリア変更手段は、
前記リモートコントロール装置に回転可能なリング状のリモコン時間リングを備え、
前記リモコン時間リングの操作速度を所定の速度より遅く回すように操作することにより前記電子番組表に表示された時刻表示欄の時間を変更させ、所定の速度より速く回すように操作することにより日付欄の日付を変更させ、変更になった時間又は日付に対応した前記フォーカスエリアを表示することを特徴とする映像表示装置。
【請求項２】
前記所定の速度は、任意に設定可能であることを特徴とする請求項１に記載の映像表示装置。
【請求項３】
ＥＰＧ情報に基づいて電子番組表を生成して映像表示手段に表示し、
表示された前記電子番組表に視聴したい番組がない場合は、フォーカス番組移動操作とは独立したフォーカスエリア変更操作によりフォーカスエリアを変更して前記電子番組表を表示し、
変更した前記フォーカスエリア内でハイライト表示したフォーカス番組を前記フォーカス番組移動操作により移動させて視聴番組を決定する映像表示装置の電子番組表表示方法において、
前記フォーカスエリア変更操作は、リモートコントロール装置に備わる回転可能なリング状のリモコン時間リングを所定の速度より遅く回すように操作することにより前記電子番組表の表示時間帯を変更させ、前記リモコン時間リングを所定の速度より速く回すように操作することにより前記電子番組表の日付を変更させ、変更になった時間又は日付に対応した前記フォーカスエリアに変更して前記電子番組表を表示することを特徴とする映像表示装置の電子番組表表示方法。
【請求項４】
前記所定の速度は、任意に設定可能であることを特徴とする請求項３に記載の映像表示装置の電子番組表表示方法。
【発明の詳細な説明】
【技術分野】
【０００１】
本発明は、映像表示装置、そのリモートコントロール装置、及び電子番組情報表示方法に係り、特に電子番組情報を利用して簡単に、しかも迅速に目的の視聴番組を検索することのできる映像表示装置、そのリモートコントロール装置、及び電子番組情報表示方法に関する。
【背景技術】
【０００２】
テレビ放送も従来のアナログ放送に加え、地上デジタル放送が開始され、ＢＳデジタル，ＣＳデジタルを合わせると、かなりの数のデジタル放送番組を楽しむことができるようになった。またＣＡＴＶ放送のように専用のセットトップボックスを用いたケーブルテレビ放送も増大している。しかし、放送番組の数が増えるにしたがって、目的の番組を探し当てるのが難しくなって来ている。
【０００３】
現在、放送番組表は、新聞や雑誌で提供されているものの他に電子番組ガイド（ＥＰＧ：電子番組ガイド）というものがある。ＥＰＧ情報はテレビ放送局から送信されるものや、インターネットを通じて得ることができるものがある。このＥＰＧ情報をもとに電子番組表を作成してテレビ画面に表示し、目的の番組を検索し、この検索された番組を選局して視聴したり、録画したりすることができるようになっている。
【０００４】
従来、電子番組表は表示形態や使い勝手が良くなるように種々工夫したものが提案されている。例えば、電子番組表を利用して目的の番組を検索する従来技術として、特開２００２−４４５５４号公報（特許文献１）に開示されたものがある。この従来技術は、アナログ時計とカレンダーを画面に表示して、調べたい番組欄の日付時刻を確認する際の視認性を高め、番組選択作業が容易に行えるようにしたものである。この従来技術によれば、ＥＰＧ情報の時間関係をより視覚的に把握することが可能になり、検索が素早く行える。
【０００５】
また、電子番組表を利用して目的の番組を検索する他の従来技術として、特表平５０５０９７号公報（特許文献２）に開示されたものがある。この従来技術は、画面に表示された電子番組表の番組欄のうち、選択されたタイムスロット部分を拡大テーブルとして拡大表示し、その他は番組内容を示すアイコン表示とすることにより、一画面にできるだけ多くの番組が表示できるとともに、探している部分を一部拡大して番組の詳細情報が得られるように工夫がされている。
【特許文献１】特開２００２−４４５５４号公報
【特許文献２】特表平５０５０９７号公報
【発明の開示】
【発明が解決しようとする課題】
【０００６】
しかし、上記特許文献１の従来技術は、調べたい番組欄の日付時刻を、カレンダー、時計などの表示を使って容易に確認できるが、視聴したい目的の番組を検索する際に、リモコン上の左方向カーソルＬＣと右方向カーソルＲＣを使って、画面に表示された電子番組表を順次スクロールさせていかねばならない問題がある。したがって結果的に検索に時間がかかってしまう問題がある。
【０００７】
また、上記特許文献２の従来技術は、番組を調べるときは、リモコン上の水平カーソル矢印キーを操作することによって、画面に表示されている電子番組表の拡大テーブルをシフトしていくことができる。表示されている範囲の端を超えて更にシフトすると表示されているタイムスロットの範囲が変更されるようになっている。したがってこの従来技術も上記特許文献１の従来技術と同様に画面に表示された電子番組表を順次スクロールさせていかねばならない問題がある。したがって結果的に検索に時間がかかってしまう問題がある。
【０００８】
本発明は、このような問題に鑑み、電子番組表で視聴したい番組を調べるとき、複数の操作手段を組み合わせることにより、素早く目的の視聴番組を探すことができる映像表示装置（テレビジョン受像装置、パソコンなど）、そのリモートコントロール装置、及び電子番組情報表示方法を提供することを目的とする。
【課題を解決するための手段】
【０００９】
本発明の映像表示装置は、ＥＰＧ情報に基づいて電子番組表を生成して映像表示手段に表示し該表示された前記電子番組表に基づいて視聴番組を決定する手段とリモートコントロール装置を備えた映像表示装置において、前記映像表示手段に表示された前記電子番組表のフォーカスエリアを変更するフォーカスエリア変更手段と、前記フォーカスエリア変更手段とは独立して操作可能な別手段であって、前記フォーカスエリア内でフォーカス番組を移動させるフォーカス番組移動手段と、前記フォーカス番組を視聴番組として決定する決定操作部とを備え、前記フォーカスエリア変更手段は、前記リモートコントロール装置に回転可能なリング状のリモコン時間リングを備え、前記リモコン時間リングの操作速度を所定の速度より遅く回すように操作することにより前記電子番組表に表示された時刻表示欄の時間を変更させ、所定の速度より速く回すように操作することにより日付欄の日付を変更させ、変更になった時間又は日付に対応した前記フォーカスエリアを表示することを特徴とする。
また、本発明の映像表示装置は、前記所定の速度が、任意に設定可能であることを特徴とする。
また、本発明の映像表示装置の電子番組表表示方法は、ＥＰＧ情報に基づいて電子番組表を生成して映像表示手段に表示し、表示された前記電子番組表に視聴したい番組がない場合は、フォーカス番組移動操作とは独立したフォーカスエリア変更操作によりフォーカスエリアを変更して前記電子番組表を表示し、変更した前記フォーカスエリア内でハイライト表示したフォーカス番組を前記フォーカス番組移動操作により移動させて視聴番組を決定する映像表示装置の電子番組表表示方法において、
前記フォーカスエリア変更操作は、リモートコントロール装置に備わる回転可能なリング状のリモコン時間リングを所定の速度より遅く回すように操作することにより前記電子番組表の表示時間帯を変更させ、前記リモコン時間リングを所定の速度より速く回すように操作することにより前記電子番組表の日付を変更させ、変更になった時間又は日付に対応した前記フォーカスエリアに変更して前記電子番組表を表示することを特徴とする。
また、本発明の映像表示装置の電子番組表表示方法は、前記所定の速度が、任意に設定可能であることを特徴とする。
【発明の効果】
【００１０】
本発明によれば、電子番組表で視聴したい番組を調べるとき、複数の操作手段を組み合わせることにより、素早く目的の視聴番組を探すことができる。
【発明を実施するための最良の形態】
【００１１】
次に、本発明を実施するための最良の形態を、図面を参照して具体的に説明する。なお、以下の実施の形態で本発明を適用する映像表示装置として具体的にテレビジョン受像機の例を挙げて説明するが、本発明はこれに限らず、内蔵チューナや外付け外部チューナを使用したパソコンや一般のディスプレイ（モニター表示装置）など、他の映像表示装置に広く適用することができる。
【００１２】
（第１の実施の形態）
本発明による第１の実施の形態を図１乃至図３を参照して説明する。
図１は本発明を実施するための映像表示装置の一例として、テレビジョン受像機を具体的な例として挙げ、その構成を示した図である。
図１において、１は放送電波を受信するアンテナ、２はテレビジョン受像機本体（以下テレビジョン受像機という）、３はテレビジョン受像機２を遠隔操作するリモートコントロール装置（以下リモコンという）である。４は、ＤＶＤ、ビデオ装置などの外部機器、８はＣＡＴＶ用チューナ（ＣＡＴＶ用セットトップボックス）である。なお、地上アナログ放送、地上デジタル放送、ＢＳデジタル放送、ＣＳデジタル放送で異なるアンテナを必要とする場合も、アンテナ１として簡易に図示してある。また、図１では音声処理回路の図示を省略している。
【００１３】
更にテレビジョン受像機２の構成を説明すると、９乃至１２はチューナであり所望のチャンネルを選局してその信号を出力する。９は地上アナログ放送用チューナ、１０は地上デジタル放送用チューナ、１１はＢＳデジタル放送用チューナ、１２はＣＳデジタル放送用チューナである。
【００１４】
地上アナログ放送用チューナ９、地上デジタル放送用チューナ１０、ＢＳデジタル放送用チューナ１１、ＣＳデジタル放送用チューナ１２、外部機器４、及び８はＣＡＴＶ用チューナから出力された信号は切替スイッチ１３に入力される。切替スイッチ１３は地上アナログ放送用チューナ９、地上デジタル放送用チューナ１０の出力信号、ＢＳデジタル放送用チューナ１１の出力信号、ＣＳデジタル放送用チューナ１２の出力信号、外部機器４、ＣＡＴＶ用チューナ８からの出力信号のいずれかを選択するために設けられている。
【００１５】
切替スイッチ１３から出力されたデジタル映像信号はデジタル放送デコーダー１４に入力される。デジタル放送デコーダー１４にはＥＰＧデコーダーが含まれている。デジタル放送デコーダー１４のＥＰＧデコーダーは放送局から送られてきたＥＰＧデータを抽出し、ＥＰＧ情報としてデコードする。このＥＰＧデコーダーでデコードされたＥＰＧ情報はＥＰＧ情報処理部２２に出力される。ＥＰＧ情報処理部２２にはＥＰＧ情報／予約番組情報記憶部２３、ＥＰＧ番組表生成／処理部２４を有しており、ＥＰＧ情報／予約番組情報記憶部２３はデジタル放送デコーダー１４から送られてきたＥＰＧ情報を記憶し、このＥＰＧ情報を基にしてＥＰＧ番組表生成／処理部２４はＥＰＧ番組表生成を生成する。ＥＰＧ番組表生成／処理部２４は、生成したＥＰＧ番組表の画像データを映像処理回路１６へ出力する。また、ＥＰＧ番組表生成／処理部２４は、ＥＰＧ番組表を基に予約された予約番組情報を、ＥＰＧ情報／予約番組情報記憶部２３に記憶する。
【００１６】
１５はＲＯＭ，ＲＡＭなどからなる記憶部であり、マイコン２０の動作に必要なプログラムや演算値などが記憶される。
【００１７】
デジタル放送デコーダー１４から出力されたデジタル映像信号は、映像処理回路１６に入力される。映像処理回路１６にはＩＰ変換／ＲＧＢプロセッサが備わり、インターレスとプログレッシブの変換やＲ、Ｇ、Ｂ信号を生成する。映像処理回路１６から出力されたデジタル映像信号は液晶表示器、プラズマスプレイ（ＰＤＰ）、ＣＲＴ表示器などの表示手段（映像表示手段）１７に入力され画像表示される。
【００１８】
また、映像処理回路１６にはＥＰＧ番組表生成／処理部２４から入力されＥＰＧ番組表の画像データとデジタル放送デコーダー１４から入力されたデジタル映像信号とを合成する処理回路も含まれ、放送番組の映像とＥＰＧ番組表生成／処理部２４で生成されたＥＰＧ番組表が画像合成され、合成された画像データが表示手段１７に出力される。
【００１９】
また、テレビジョン受像機２には音声や映像を記録する記録装置として、外部機器４の他に、テレビジョン受像機２に内蔵された内部記憶装置１８を備えている。内部記憶装置１８はハードディスクドライブ（ＨＤＤ）などで構成される。ＥＰＧ番組表などで番組を予約すると、予約時間にその番組が外部機器４、あるいは内部記憶装置１８に記録される。
【００２０】
１９はリモコン受信部であり、リモコン３からの赤外線による操作信号を受信する。テレビジョン受像機２はリモコン受信部１９で受信したリモコン３の操作信号をテレビジョン受像機２全体を制御するマイクロコンピュータ（以下マイコンという）２０に送り、この信号を受け取ったマイコン２０は、チャンネル切り替え、ＥＰＧ番組表による番組検索、番組予約などを実行する。
【００２１】
図２は本発明の第１の実施の形態で使用するリモコン３を拡大して示したもので、リモコン３には、各種操作ボタンが配置されている。３１は電源ＯＮ／ＯＦＦ用ボタンである。３２はチャンネル選択用数字ボタンである。３３は地上デジタル放送選択ボタンである。３４はＢＳデジタル放送選択ボタンである。３５は１１０度ＣＳデジタル放送選択ボタンである。３６はＥＰＧデータを使った電子番組表を表示する番組表表示ボタンである。３７は地上アナログ放送選択ボタンである。３８は選択された番組（以下フォーカス番組という）の詳細情報を表示させる番組情報ボタンである。３９〜４２は後述するように、番組のフォーカス位置、時間、日付などの移動に使用する左右上下方向移動カーソルボタンである。４３は、表示手段１７に表示された番組表やメニューにおける選択項目を決定する決定ボタンである。４４はリング状の操作部であり、時計回り、あるいは反時計回りに回転可能になっている。以下、４４をリモコン時間リングと呼ぶことにする。４５は操作を前に戻すための戻りボタンである。リモコン受信部１９に向けてリモコン３の各操作部が操作されると、リモコン受信部１９に操作信号が送信される。
【００２２】
次に図３を参照して第１の実施の形態の電子番組情報表示方法を説明する。
まず、ＥＰＧによる番組表示をする場合には、リモコン３の番組表表示ボタン３６を押下する。すると図３に示したＥＰＧによる番組表が表示手段１７の表示画面２５に表示される。
図３の（ａ）はリモコン３の要部のみを簡単に図示したものである。図３の（ｂ）はテレビジョン受像機２の表示手段１７の表示画面２５に表示された電子番組表を示している。
図３の（ａ）における符号３９〜４４は図２と同じものを示している。
【００２３】
図３の（ｂ）において、４６は３つの円で区切られた日付と時間を示した日付時間画像表示部である。５０は最も内側の円、５１は内側から２番目の円、５２は最も外側の円である。
円５０内には日付と、午前と午後の区別が表示されている（図３では例として４／２８、午後と表示されている）。以下、円５０内の日付表示部を日付リング５３と呼ぶことにする。
また、円５０と円５１の間の領域には曜日（日〜土）が表示されている。以下、円５０と円５１の間の曜日表示部を曜日リング５４と呼ぶことにする。曜日リング５４に表示された曜日は色分け、或いは明暗により今フォーカスされている番組の曜日が分かるように表示される（ハイライト部６２で示す）。図３の例では「水」が他と異なる色、明るさにハイライトされて、水曜であることを示している。
また、円５１と円５２の間の領域には時刻（数字０〜１１）が表示されている。以下、円５１と円５２の間の時刻表示部を画像表示時間リング５５と呼ぶことにする。画像表示時間リング５５に表示された時刻は色分け、或いは明暗により今フォーカスされている番組の時刻が分かるように表示される（ハイライト部６３で示す）。図３の例では「３」が他と異なる色、明るさにハイライトされて、時間帯が３時の番組が表示されていることを示している。
【００２４】
図３の（ａ）、（ｂ）におけるリモコン時間リング４４と画像表示時間リング５５は対応したものになっている。すなわち、リモコン時間リング４４を時計回りに回転させると画像表示時間リング５５もこれに伴ってハイライト部６３が３時→４時→５時というように時計回りに移動していく。逆に反時計回りにリモコン時間リング４４を回転させるとこれに伴って画像表示時間リング５５のハイライト部６３が３時→２時→１時というように反時計回りに移動していく。
【００２５】
これら、日付リング５３、曜日リング５４、画像表示時間リング５５のそれぞれの表示は互いに関連があって、画像表示時間リング５５のハイライト部６３が１回転して時計回りに１１時と０時の間を横切ると日付リング５３の午前、午後の表示が変わり、日付リング５３の表示が午後であった場合には日付と曜日リング５４の曜日も変わるようになっている。これはリモコン時間リング４４を時計回りに回転させると、通常の時間の進行と同様に日付リング５３、曜日リング５４、画像表示時間リング５５の表示が変化する。
またリモコン時間リング４４を反時計回りに回転させると、通常の時間の進行とは逆に日付リング５３、曜日リング５４、画像表示時間リング５５の表示が逆行するように変化する。
なお、現在時刻が３時の場合には３時００分より前の番組は終了してしまっており、ＥＰＧ情報もなくなっているので、画像表示時間リング５５の該当部分は白抜き数字でバックが黒の表示（白抜き数字表示部６４で示す）とし、ＥＰＧ情報がないことをユーザに認識させるようになっている。
【００２６】
画像表示時間リング５５の右側には、日付リング５３、曜日リング５４、画像表示時間リング５５のそれぞれで示された時間帯の番組、すなわち、４／３８（水）、午後３時における番組表５６が表示される。図３にはＮＮＫ総合１１０ニュース〜民放第７テレビ１１０ニュースが表示され、その中で太枠で囲まれた民放第３テレビ１１０ニュース（フォーカス番組５７）がハイライトされている状態を示している。なお、フォーカス番組とは、この番組が選択状態にあり決定ボタン４３を押下すると番組が選局されるか予約番組として登録される番組を言う。
【００２７】
チャンネル数が多い場合一画面に全てのチャンネルを表示すると表示が小さくなりすぎて判読不可能になる。このため判読できる大きさの表示にして一画面に収まりきれなかったチャンネルはリモコン３の上方向移動カーソルボタン３９、下方向移動カーソルボタン４１によって表示範囲を移動できるようにしている。表示画面２５には上方向移動カーソルボタン３９、下方向移動カーソルボタン４１と同じ上方向移動カーソルマーク５８、下方向移動カーソルマーク５９が表示されており、画面から外れたチャンネルを上方向移動カーソルボタン３９、下方向移動カーソルボタン４１の操作によって見るように促すようになっている。上方向移動カーソルマーク５８、下方向移動カーソルマーク５９はリモコン３の上方向移動カーソルボタン３９及び下方向移動カーソルボタン４１に対応しており、リモコン３にて上方向移動カーソルボタン３９を操作するとこれと連動して上方向移動カーソルマーク５８の示す方向に表示範囲が移り、表示できなかったチャンネルを表示するようになっている。また、リモコン３にて下方向移動カーソルボタン４１を操作するとこれと連動して下方向移動カーソルマーク５９の示す方向に表示範囲が移り、表示できなかったチャンネルを表示するようになっている。このようにリモコン時間リング４４、上方向移動カーソルボタン３９、及び下方向移動カーソルボタン４１を操作することによって、番組表の表示範囲を移動できるようになっている。
【００２８】
また、本実施の形態では日付リング５３に右方向移動カーソルマーク６０、左方向移動カーソルマーク６１が表示されているように、リモコン３の右方向移動用カーソルボタン４０及び左方向移動用カーソルボタン４２を操作すると、日付を変更することができ、素早く番組をサーチすることができるようになっている。すなわちリモコン３の右方向移動用カーソルボタン４０を操作することにより、例えば４／２８（水）午後３時から４／２９（木）午後３時に移動でき、リモコン３の左方向移動用カーソルボタン４２を操作することにより４／２７（火）午後３時というようにフォーカスエリアを素早く移動できる。
【００２９】
フォーカス番組５７は更に番組の詳細情報をリモコンの番組情報ボタン３８を押下することにより見ることができる。番組情報ボタン３８を押下するとフォーカス番組５７の詳細情報が（図示しない）別画面として表示される。戻りボタン４５を押下すればＥＰＧの番組表に戻ることができる。
【００３０】
以上のように、番組を検索し、所望の視聴番組が見つかれば、その番組がハイライトされた状態でリモコンの決定ボタン４３を押下することにより視聴番組を決定することができる。この場合現在放送中の番組が選択されて決定された場合にはマイコン２０は決定された番組情報を基に各チューナ１０から１２で番組を選局し、選局された放送信号は、チューナ１０〜１２の種類に応じて切替スイッチ１３が切り替えられ、デジタル放送デコーダ１４、映像処理回路１６を通り表示手段１７で表示される。
【００３１】
また、未放送番組を予約する目的で番組が選択され決定された場合には、選択された番組情報が予約番組情報としてＥＰＧ情報／予約番組情報記憶部２３に記憶される。そして予約時間になったら、選択された番組が自動選局され録画が開始される。録画データは内部記憶装置１８、あるいは外部機器４に記録される。
【００３２】
また、リモコン３の決定ボタン４３を押下する前にＥＰＧの番組表示を終わらせる場合には番組表表示ボタン３６を押下すればよい。すなわち番組表表示ボタン３６はＥＰＧによる番組表を表示開始する場合と終了させる場合の両方に使用する兼用キーである。
【００３３】
以上、本実施の形態によれば、リモコン時間リング４４で時間入力を行うことで、電子番組表のフォーカスエリアを、異なる時間帯へ簡単に移動することができるという効果を奏する。例えば１時代の番組内容を見た後に９時代の番組内容を素早く見ることができる。
また、本実施の形態によれば、時間指定の入力画面と比較して別画面に移る必要がなくその時間帯の裏番組も同時に閲覧できるという効果を奏する。
また、本実施の形態によれば、表示手段１７の画面に表示された画像表示時間リング５５とリモコン時間リング４４の形状が同じリング形状になっており、その動きも連動して動くようになっているので、直感的な時間指定が可能となる。したがって目的の番組を素早く探し当てることができるという効果を奏する。
また、本実施の形態によれば、電子番組表のフォーカスエリアの移動操作を時間リングで行い、表示画面内でのフォーカス番組の移動を上下方向移動カーソルボタンで行うなど複数の操作手段を備えるので、番組を探す場合に素早く目的とするところに達することができるという効果を奏する。
【００３４】
（第２の実施の形態）
次に図４を参照して第２の実施の形態の電子番組情報表示方法を説明する。
図４の（ａ）はリモコン３の要部のみを簡単に図示したものである。図４の（ｂ）はテレビジョン受像機２の表示手段１７に表示された電子番組表を示している。
図４の（ａ）における符号３９〜４４は図２と同じものを示している。また、本実施の形態における日付リング５３、曜日リング５４、画像表示時間リング５５の表示は第１の実施の形態と同じになっている。
【００３５】
本実施の形態は第１の実施の形態と比べ、番組表の表示形態が異なっている。すなわち、図４の番組表７０の例では画像表示時間リング５５の３時の時間帯がハイライトされており（ハイライト部６３）、これに対応する番組表の表示が拡大表示されるようになっている。７０は１画面に表示できる範囲で表示された番組表で、１つの矩形枠で示された部分が１つの番組を表している。縦軸方向が時間を示し、横軸方向がチャンネルを示している。７１は３時代の番組が拡大表示された番組拡大表示部である。番組の放送時間の長短によって矩形の枠の縦方向の長さも異なって表示されている。横方向の番組の並び方が徐々にずらされて並んでおり、チャンネルの連続性とフォーカスされた番組の拡大表示を両立させた表示となっている。７６は現在注目されているフォーカス番組であり、他の番組枠に対し色分け、或いは輝度を高くするなどハイライト表示される。
【００３６】
本実施の形態でも第１の実施の形態と同様、多くのチャンネルを１画面に表示させると判読不可能になるので、リモコン３の右方向移動カーソルボタン４０を使ってチャンネルの表示範囲を右方向移動カーソルマーク７４の方向に、左方向移動カーソルボタン４２を使って左方向移動カーソルマーク７５の方向に移動できるようになっている。
また、リモコンの上方向移動カーソルボタン３９を使って時刻を上方向移動カーソルマーク７２の方向に、下方向移動カーソルボタン４１を使って下方向移動カーソルマーク７３の方向に移動できるようになっている。このとき、番組表の表示範囲が移動するに伴って、日付リング５３、曜日リング５４、画像表示時間リング５５のそれぞれが示す時間、午前／午後、曜日、日付もこれと対応して変化するようになっている。
なお、番組表の縦軸方向の時間、横軸方向のチャンネルは、縦横入れ替えて配列しても良い。
また、番組表７０の番組拡大表示部７１の番組枠内は番組内容をテキスト表示などで表示し、番組表７０の番組拡大表示部７１以外の小さな番組枠は番組のジャンルを表すアイコンとして表示すれば、多くの番組の概要を表示することができる。
【００３７】
以上、本実施の形態によれば、上記第１の実施の形態における効果の他に、調べている時間帯で番組内容が拡大表示されるので、番組内容が見易くなるという効果を奏する。
また、番組拡大表示部７１は番組表７０の中ほどに拡大して表示することによって、番組拡大表示部７１の前後の番組の状態を知ることができ、ユーザは番組拡大表示部７１の位置付けを把握することができるという効果を奏する。
【００３８】
（第３の実施の形態）
次に図５を参照して第３の実施の形態の電子番組情報表示方法を説明する。
図５の（ａ）はリモコン３の要部のみを簡単に図示したものである。図５の（ｂ）はテレビジョン受像機２の表示手段１７の表示画面２５に表示された電子番組表を示している。
図５の（ａ）における符号３９〜４４は図２と同じものを示している。
【００３９】
本実施の形態は第１の実施の形態と比べ、画像表示の日付リング、曜日リング、時間リングの表示形態が異なっている。すなわち、第１の実施の形態における画像表示時間リング５５は一周１２時間の時間リングであったが、本実施の形態では一周２４時間の画像表示時間リング８０となっている。そして、第１の実施の形態における日付リング５３と曜日リング５４を一体として表示した日付曜日リング８１となっている。画像表示時間リング８０を一周２４時間表示としたので午前、午後の表示は不要となる。
【００４０】
また、一周が１２時間表示でないので通常使用しているアナログ表示の時計に合わせなくても違和感はなくなる。したがって、画像表示時間リング８０の数字１〜２４を固定してハイライト部８２を移動させる第１の実施の形態と同様にすることもできるが、画像表示時間リング８０のハイライト部８２の位置を固定して、リモコン時間リング４４の操作に伴って画像表示時間リング８０の数字を回転移動させるようにしてもよい。すなわち、図５は最も右側位置の１５時がハイライト部８２になっている例を示しているが、このハイライト部８２の位置を替えずに１〜２４の数字を時計回り、或いは反時計回りに回転させるのである。また、現在が４／２８（水）の１５時であれば、１５時より前の番組情報はないので、第１の実施の形態と同様、画像表示時間リング８０の該当部分は白抜き数字でバックが黒の表示とし、ＥＰＧ情報がないことをユーザに認識させるようになっている。その他は、第１の実施の形態と同様である。
【００４１】
日付曜日リング８１に表示された右方向移動カーソルマーク８７、左方向移動カーソルマーク８８は、第１の実施の形態の説明で図３に示した右方向移動カーソルマーク６０、左方向移動カーソルマーク６１と同じ機能を実現するもので、対応するリモコン３の右方向移動カーソルボタン４０、左方向移動カーソルボタン４２により日付を変更することができる。
【００４２】
以上、本実施の形態によれば、上記第１の実施の形態における効果の他に、リングの表示が単純になり、また、時間を２４時間単位で見ることができ、時間帯のハイライト位置の移動をアナログ表示の時計に合わせなくても違和感がなくなるという効果を奏する。
【００４３】
（第４の実施の形態）
次に図６を参照して第４の実施の形態の電子番組情報表示方法を説明する。
図６の（ａ）において１０３はリモコンである。３９〜４３は図２と同じものを示している。リモコン１０３はリモコン３に対し、時間リングの操作部を除いて同じである。図６の（ａ）のリモコン１０３は要部のみを簡単に図示したものである。図６の（ｂ）はテレビジョン受像機２の表示手段１７の表示画面２５に表示された電子番組表を示している。
【００４４】
本実施の形態は第１の実施の形態と比べ、時刻の表示形態、及びリモコン時間リングの操作部が異なっている。まず、表示手段１７の表示画面２５の番組表に、アナログ時計を模した画像が表示されている。９２はこの表示画面２５に表示されたアナログ時計である。アナログ時計９２には長針９３、短針９４が表示され、番組表が表示される所定の番組閲覧時間範囲９５が色分け、或いは明暗の違いでハイライト表示されている。番組閲覧時間範囲９５は１時間程度の範囲とすればよい。アナログ時計９２の下側に日付、曜日、時刻の表示領域９６がある。
【００４５】
また日付、曜日、時刻の表示領域９６の左右に左右方向移動カーソルマーク１０１、１０２が表示されている。この左右方向移動カーソルマーク１０１、１０２の機能は第１の実施の形態の左右方向移動カーソルマーク６０、６１と同じである。対応するリモコン３の右方向移動カーソルボタン４０、左方向移動カーソルボタン４２により日付を変更することができる。
【００４６】
リモコン１０３の時間リングは二重になっており、長針用時間リング９０、短針用時間リング９１を備えている。長針用時間リング９０を操作すると操作した回転方向に長針９３が回転し、短針用時間リング９１を操作すると操作した回転方向に短針９４が回転する。本実施の形態では第１の実施の形態の日付リング５３、曜日リング５４、画像表示時間リング５５のようにリングを多重にして日付、曜日、時刻を表示するものではないが、日付、曜日、時刻の表示領域９６に日付、曜日、時刻が表示されるので番組表の表示領域が何処の時点の番組表なのかを認識することができる。
【００４７】
本実施の形態によれば、画像表示されたアナログ時計９２が実際のアナログ時計に形状が似ているので第１〜第３の実施の形態に比べ、更に直感的な時間指定が可能となるという効果を奏する。また、リモコンに長針と短針を操作する時間リングをそれぞれ設けたので、目的の時間帯に素早くフォーカスエリアを移動することができるという効果を奏する。
また、本実施の形態によれば、電子番組表のフォーカスエリアの移動操作を時間リングで行い、表示画面内でのフォーカス番組の移動を上下方向移動カーソルボタンで行うなど複数の操作手段を備えるので、番組を探す場合に素早く目的とするところに達することができるという効果を奏する。
【００４８】
（第５の実施の形態）
次に図７を参照して第５の実施の形態の電子番組情報表示方法を説明する。
図７は表示手段１７に表示された番組表の表示形態が第４の実施の形態で示した番組表に対し、アナログ時計の表示を小さくし、番組表の表示を大きくしたものである。これはアナログ時計は、シンボリックなものであり、小さなものでも時間認識が容易に行えるということにより、表示を小さくし、逆に番組の内容は文字を表示することが多いので文字の判読性を高めるために広い領域を確保したものである。リモコンは第４の実施の形態と同じリモコン１０３を使用する。
【００４９】
図７において、１１０は表示手段１７の表示画面２５に表示されたアナログ時計、１１１は番組表であり、縦軸方向がチャンネル、横方向が時刻を表している。１１２はアナログ時計１１０で示された時間帯枠、例えば１時間幅の時間帯枠を示している。１１３はフォーカス番組である。１１４はフォーカス番組１１３の詳細情報を表示する番組情報表示欄である。
１１５はフォーカス番組１１３の日付、時間表示領域である。
【００５０】
リモコン１０３の長針用時間リング９０、短針用時間リング９１を操作すると操作量に応じて時間帯枠１１２を左右に移動することができる。
フォーカス番組１１３の位置は、リモコン１０３の左、右、上、下移動カーソルボタン３９〜４２によって、表示画面の左、右、上、下移動カーソルマーク１０４〜１０７の方向に移動することができる。
また、本実施の形態では、フォーカス番組１１３の詳細情報が番組情報表示欄１１４に表示されるようになっている。
【００５１】
本実施の形態によれば、第４の実施の形態における効果の他に、第４の実施の形態より番組表の表示スペースを広く取ることができ、また、番組情報表示欄１１４も同一画面に表示することができるという効果を奏する。
【００５２】
（第６の実施の形態）
次に図８を参照して第６の実施の形態の電子番組情報表示方法を説明する。
図８の（ａ）において１２０はリモコンを示す。リモコン１２０は第１の実施の形態におけるリモコン３の左、右、上、下方向移動カーソルボタン３９〜４２、決定ボタン４３、リモコン時間リング４４の代わりに左、右、上、下方向移動カーソルボタン１２１〜１２４、ジョイスティック１２５、及びジョイスティック１２５のキートップに決定ボタン１２６が備わっている。その他はリモコン３と同じである。
【００５３】
図８の（ｂ）において１３０は日付表示領域である。１３１は時刻表示部である。１３２はチャンネル表示部である。１３３はフォーカス番組である。１３４はフォーカス番組１３３と同時刻１９：００における番組のアイコンである。１３５はフォーカス番組１３３と同チャンネルのアイコンである。なお、１３４、１３５のアイコンには番組のジャンルを表す絵柄が表示される。これに対し、フォーカス番組１３３には放送番組の内容を示す画像などが表示される。現在放送中の番組がフォーカス番組として選ばれたときには番組の縮小された映像が表示され、未放送の場合には放送局から番組案内用に前もって配信されたイラストや代表映像の宣伝ショット画像を表示するようになっている。放送局から番組案内用に前もって配信されたイラストや代表映像の画像データがない場合には、番組のジャンルを表すアイコンを表示する。図８の例では放送局から番組案内用に前もって配信された代表映像が表示されている。この代表映像は静止画、或いは短編の動画とすることもできる。
【００５４】
本実施の形態の表示画面は、放送番組が縦方向を時間、横方向をチャンネルとしてマトリックス状に配列されている。そして、フォーカス番組１３３を中心に十字状に各番組のジャンルを示すアイコン１３４、１３５が配置されている。フォーカス番組１３３には上に述べたように番組縮小映像、又は宣伝ショット画像が表示される。図８の（ｂ）で示されたものはフォーカス番組の時間が現在時刻ではなく未来の時間なので宣伝ショット画像が表示されている。また、画面の右上部分にはフォーカス番組１３３の詳細情報が番組情報表示欄１３６内に表示されるようになっている。また、１４２はアイコン表示を省略した番組枠である。この番組枠１４２はＥＰＧ情報としては受信しているが内容の表示を省略しているもので、これにより、フォーカス番組１３３のチャンネルで放送される番組と、フォーカス番組１３３が放送される時間帯で他のチャンネルがどのような番組になっているかを際立たせるようになっている。
【００５５】
図９は、番組表のフォーカスエリアを左、右、上、下方向移動カーソルボタン３９〜４２で行い、そのフォーカスエリア内をジョイスティック１２５で選択する本実施の形態の様子を示したものである。１３１〜１３５は図８と同じものを示す。また、１４７はアイコン表示を省略した番組枠で、上記１４５と同じ意味の番組枠を示す。１４８は番組の配列状態を示した番組枠である。
【００５６】
本実施の形態では、フォーカスエリアの変更をリモコンの左、右、上、下方向移動カーソルボタン３９〜４２で行い自分の気になる範囲を決定した後、その範囲内で詳細をジョイスティック１２５でぐるぐる探し回る感覚で目的の番組を探すことができる。例えば、左、右、上、下方向移動カーソルボタン３９〜４２で右方向を押し続けると画面の表示範囲は表示領域枠１５０から点線で示した表示領域枠１５１に移動する。移動後にジョイスティック１２５でフォーカス番組１３３を動かし詳細情報を得る。本実施の形態では、番組をジョイスティック１２５で探し回るとき、ジョイスティック１２５を斜め方向に倒すことにより直接斜め方向に進むことができる。したがって斜め方向の移動が、左右上下のカーソルボタンによる移動より、迅速に容易に行える。
【００５７】
図１０はフォーカス番組１３３が、現在放送されている時間帯１９：００に位置している場合の例を示したものである。図１０のフォーカス番組１３３には放送中の映像が縮小画面で表示されている。これによりフォーカス番組そのものでその番組を選択するかどうかを判断することができる。
【００５８】
本実施の形態は、リモコン１２０の左、右、上、下方向移動カーソルボタン１２１〜１２４によって番組表の表示領域を変更し、ジョイスティック１２５によって表示領域内の番組に対してフォーカスを移動するようにＥＰＧ番組表を操作する。このようにフォーカスエリアの移動操作とフォーカスエリア内のフォーカス番組移動を別の操作手段によって行えるので、番組を探す場合に素早く目的とするところに達することができる。そして、所望の番組が見つかったら決定ボタン１２６を押下すると、フォーカス番組１３３が視聴番組、あるいは予約番組として決定される。
【００５９】
以上、本実施の形態によれば、フォーカス番組１３３の周辺の番組を全体に見渡すことができるという効果を奏する。
また、本実施の形態によれば、どの時間帯のどの放送局付近を見たいかに合わせてフォーカスエリアを移動できるという効果を奏する。
また、本実施の形態によれば、フォーカスエリア決定後は、その範囲内でフォーカスを自在に動かし、その時間帯の情報を見渡すことができるという効果を奏する。ジョイスティック１２５を斜め方向に倒すことにより直接斜め方向に進むこともでき、移動が迅速、容易に行える。
また、本実施の形態によれば、フォーカスエリアを一旦固定して、フォーカスを移動するので、フォーカスを移動して番組を探索している間、注目していた番組が常に画面上にあるという効果を奏する。
また、本実施の形態によれば、表示領域の移動操作と表示領域内のフォーカス移動を別の操作手段によって行えるので、番組を探す場合に素早く目的とするところに達することができるという効果を奏する。
【００６０】
（第７の実施の形態）
次に図１１を参照して第７の実施の形態の電子番組情報表示方法を説明する。
図１１の（ａ）において１５５はリモコンを示す。リモコン１５５は第１の実施の形態におけるリモコン３の左、右、上、下方向移動カーソルボタン３９〜４２、決定ボタン４３、リモコン時間リング４４の代わりに回転キー１５６、スライドパッド１５７が備わっている。その他はリモコン３と同じである。
【００６１】
図１１の（ｂ）に表示されたＥＰＧによる番組表は第６の実施の形態の図１０とほぼ同じであるが、本実施の形態の図１１の（ｂ）で示したものは、フォーカス番組１３３がより大きく表示できるように、魚眼レンズで見たような表示になっている。これにより第６の実施の形態に比べフォーカス番組１３３の内容をより明確に認識できる。
また、画面の右上部分にはフォーカス番組１３３の番組情報表示欄１３６内に表示されるようになっている。
【００６２】
また、画面の左下部分には、図１１の（ｃ）にその拡大図を示したように、フォーカス番組１３３の位置が全体に対して何処にあるかが分かる簡易図１３７が表示されている。図１１の（ｃ）において、縦軸に時間、横軸にチャンネルがマトリックス状に配置されている。横に区のチャンネルは地上デジタル、ＢＳデジタル、ＣＳデジタルの各チャンネルの番組枠１６１が連続して並べられている。したがって、本実施の形態ではリモコンなどで地上デジタル、ＢＳデジタル、ＣＳデジタルの切り替え操作を行わないでも、回転キー１５６とスライドパッド１５７によりこれらのチャンネル間を探索することができる。フォーカス番組１６０が地上デジタル放送、ＢＳデジタル放送、ＣＳデジタル放送のどの種別に該当するかは放送種別表示欄１６２に表示される。このように、ユーザは簡易図１３７を見ながら全体を俯瞰して回転キー１５６とスライドパッド１５７を容易に操作することができる。
【００６３】
図１１の（ｂ）は第６の実施の形態で図１０に示した番組表に対応するもので、フォーカス番組１３３が現在放送されている場合の例を示したものである。同一符号は同じものを示すが、図１１の（ｂ）は図１０に対し魚眼レンズ的に表示がデフォルメされている。図１１の（ｂ）のフォーカス番組１３３には放送中の映像が縮小画面で表示されている。これによりフォーカス番組１３３そのものでその番組を選択するかどうかを判断することができる。
【００６４】
図１２は、図１１の（ｂ）に対し、フォーカス番組１３３を他のチャンネルで、放送時間を未放送のものにした場合の例である。これは第６の実施の形態の図８の（ｂ）に示したものに相当するものである。図１２に表示されたＥＰＧによる番組表は第６の実施の形態の図８の（ｂ）とほぼ同じであるが、本実施の形態の図１２で示したものは、フォーカス番組１３３がより大きく表示できるように、魚眼レンズで見たような表示になっている。
【００６５】
本実施の形態は、回転キー１５６によって番組表の表示領域を変更し、スライドパッド１５７によって表示領域内の番組に対してフォーカスを移動するようにＥＰＧ番組表を操作する。このように表示領域の移動操作と表示領域内のフォーカス移動を別の操作手段によって行えるので、番組を探す場合に素早く目的とするところに達することができる。そして、所望の番組が見つかったらスライドパッド１５７をタッピングすると、フォーカス番組１３３が視聴番組、あるいは予約番組として決定される。
【００６６】
以上、本実施の形態によれば、第６の実施の形態における効果の他に、フォーカス番組が拡大され表示されるので、番組内容を容易に確認できるという効果を奏する。
また、本実施の形態によれば、リモコンなどで地上デジタル放送、ＢＳデジタル放送、ＣＳデジタル放送の切り替え操作を行わないでも、回転キー１５６とスライドパッド１５７によりこれらのチャンネル間を探索することができるという効果を奏する。
【００６７】
なお、本実施の形態では、回転キー１５６によって番組表の表示領域を変更し、スライドパッド１５７によって表示領域内の番組に対してフォーカスを移動するようにＥＰＧ番組表を操作するようにしているが、回転キー１５６の機能をスライドパッド１５７によって実現することもできる。例えば円盤状に作られたスライドパッド１５７の円周上を、回転キー１５６の回転操作を模擬して、時計方向、或いは半時計方向に指を接触させながらスライドさせることにより、回転機構を持つ回転キー１５６と同様の操作信号を発生することができる。この場合、接触操作により１項目の選択を行った後、タッピング、あるいは決定ボタンを押し、次項目を選択するための接触操作を行うことができる。このようにすると、回転キー１５６が不必要となりリモコンの構成が簡単になる。
【００６８】
（第８の実施の形態）
次に図１３を参照して第８の実施の形態の電子番組情報表示方法を説明する。
図１３は電子番組表の一例を示したものである。本実施の形態ではリモコン時間リング４４を所定の速度より遅く回すことで図１３の番組表の表示時間を移動させるようになっているが、更に、リモコン時間リング４４を所定の速度より速く回すと、時間の移動モードから日にちの移動モードに遷移するようになっている。すなわち、ゆっくり回すと図１３の１３８で示した時刻表示欄の時刻表示が１時間ずつ変わり、速く回すと１３９で示した日にち表示欄の日付が変わるようになっている。表示された番組表１４０は変更になった時間、日付に対応した番組内容が表示される。リモコン時間リング４４を回すときの上記所定の速度は、遅い、速いという速度の感覚がユーザにより異なるので、ユーザにより任意に設定可能であることが望ましい。このユーザにより設定された上記所定の速度は記憶部１５に記憶され、リモコン時間リング４４が回された実際の速度と比較される。
【００６９】
本実施の形態によれば、リモコン時間リング４４の回転を速くしたり遅くしたりする操作によって番組の移動速度が変えられるので、回転を速くして日付を変え、該当の日付になったらゆっくり回して１時間毎に詳細に見ていくことができる。
また、時間リングの回転速度を変えることで日付を変えることができるので、リモコンで日付変更モードにしてから日付を変更するなどの面倒な操作が不用となり、日付変更が容易となる。
【００７０】
（その他の実施の形態）
上記実施の形態では、日付リング５３、曜日リング５４、画像表示時間リング５５、８０、日付曜日リング８１を例にとって説明したが、本発明はこれらに限定されない。
例えば、画像表示時間リング５５、８０は時間をリング状に表示したものであるが、これに代えて、リングの一周を１週間の日付で表示する画像表示週間リングとすることができ、また、リングの一周を１ヶ月の日付で表示する画像表示カレンダーリングとすることができる。この場合に、リング上で選択するのが時間でなく日付になるので、その右に表示される番組表５６、７０が１日のうちの一部しか表示されないが、上下左右方向の移動カーソルボタン３９〜４２により番組表の表示範囲を移動させて表示させるようにすれば良い。あるいは番組表５６、７０に代えて、例えばタイトルのみ表示する番組表として１日の番組全体を簡易表示させるようにしてもよい。なお、この場合、リモコン時間リング４４はリモコン週間リング、リモコンカレンダーリングなどに置き換わる。
また、画像表示時間リング５５、８０は、リングの一周を１２時間、２４時間など通常の時計表示に合わせる表示としたが、リングの一周の表示時間をユーザが任意に設定できるようにしても良い。例えば３時間、６時間等として設定する。
また、曜日は必ずしも必要でないので、曜日リング５４を省略し、日付曜日リング８１は日付のみ表示する日付リングとして、曜日を省略することもできる。
このように、日付リング、曜日リング、画像表示時間リング、日付曜日リング、週間リング、カレンダーリングなど種々の表示を考えることができ、また、それらの組み合わせも種々考えることができる。
【００７１】
また、以上の実施の形態では、第１乃至第８の実施の形態により具体的にテレビジョン受像機を例として説明してきたが、本発明はテレビジョン受像機に限定されず、内蔵チューナや外付け外部チューナを使用したパソコンや一般のディスプレイ（モニター表示装置）など、他の映像表示装置に広く適用することができる。
また、例えば上下左右方向カーソルボタン３９〜４２、ジョイスティック１２５、スライドパット１５７は適宜変更して実施することができる。また、上下左右方向カーソルボタン１２１〜１２４、リモコン時間リング４４、回転キー１５６は適宜置き換えて実施することができる。
以上、本発明を具体的な実施の形態に基づいて説明してきたが、本発明はこれらに限定されず、本発明の要旨を変更しない範囲で変更して実施できることは言うまでもない。
【産業上の利用可能性】
【００７２】
本発明は、ＥＰＧを利用した予約機能を有する受信装置や、Ｇコードを利用した予約機能を有するテレビジョン受像機に広く利用できる。また、本発明はテレビジョン受像機に限定されず、内蔵チューナや外付け外部チューナを使用したパソコンや一般のディスプレイ（モニター表示装置）など、他の映像表示装置に広く適用することができる。
【図面の簡単な説明】
【００７３】
【図１】本発明を実施するためのテレビジョン受像機の具体的一例を示す図である。
【図２】本発明によるリモコンの具体的一例を示す図である。
【図３】本発明による第１の実施の形態を示す図である。
【図４】本発明による第２の実施の形態を示す図である。
【図５】本発明による第３の実施の形態を示す図である。
【図６】本発明による第４の実施の形態を示す図である。
【図７】本発明による第５の実施の形態を示す図である。
【図８】本発明による、フォーカス番組が未来時刻であるときの第６の実施の形態を示す図である。
【図９】本発明による第６の実施の形態の操作状態を説明する図である。
【図１０】本発明による、フォーカス番組が現在時刻であるときの第６の実施の形態を示す図である。
【図１１】本発明による、フォーカス番組が現在時刻であるときの第７の実施の形態を示す図である。
【図１２】本発明による、フォーカス番組が未来時刻であるときの第７の実施の形態を示す図である。
【図１３】本発明による第８の実施の形態を示す図である。
【符号の説明】
【００７４】
１・・・アンテナ
２・・・テレビジョン受像機（映像表示装置）
３、１０３、１２０、１５５・・・リモートコントロール装置（リモコン）
４・・・外部機器
８・・・ＣＡＴＶ用チューナ（セットトップボックス）
９・・・地上アナログ放送用チューナ
１０・・・地上デジタル放送用チューナ
１１・・・ＢＳデジタル放送用チューナ
１２・・・ＣＳデジタル放送用チューナ
１３・・・切替スイッチ
１４・・・デジタル放送デコーダー
１５・・・記憶部
１６・・・映像処理回路
１７・・・表示手段（映像表示手段）
１８・・・内部記憶装置
１９・・・リモコン受信部
２０・・・マイクロコンピュータ（マイコン）
２２・・・ＥＰＧ情報処理部
２３・・・ＥＰＧ情報／予約番組情報記憶部
２４・・・ＥＰＧ番組表生成／処理部
２５・・・表示画面
３１・・・電源ＯＮ／ＯＦＦ用ボタン
３２・・・チャンネル選択用数字ボタン
３３・・・地上デジタル放送選択ボタン
３４・・・ＢＳデジタル放送選択ボタン
３５・・・１１０度ＣＳデジタル放送選択ボタン
３６・・・番組表表示ボタン
３７・・・地上アナログ放送選択ボタン
３８・・・番組情報ボタン
３９、１２１・・・上方向移動カーソルボタン
４０、１２２・・・右方向移動カーソルボタン
４１、１２３・・・下方向移動カーソルボタン
４２、１２４・・・左方向移動カーソルボタン
４３、１２６・・・決定ボタン
４４・・・リモコン時間リング
４５・・・戻りボタン
４６・・・日付時間画像表示部
５０〜５２・・・円
５３・・・日付リング
５４・・・曜日リング
５５、８０・・・画像表示時間リング
５６、７０、１１１、１４０・・・番組表
５７、７６、１１３，１３３、１６０・・・フォーカス番組
５８、７２、１０６・・・上方向移動カーソルマーク
５９、７３、１０７・・・下方向移動カーソルマーク
６０、７４、８７、１０１、１０４・・・右方向移動カーソルマーク
６１、７５、８８、１０２、１０５・・・左方向移動カーソルマーク
６２、６３、８２・・・ハイライト部
６４・・・白抜き数字表示部
７１・・・番組拡大表示部
８１・・・日付曜日リング
９０・・・長針用時間リング
９１・・・短針用時間リング
９２、１１０・・・アナログ時計
９３・・・長針
９４・・・短針
９５・・・番組閲覧時間範囲
９６・・・日付、曜日、時刻の表示領域
１１２・・・時間帯枠
１１４、１３６・・・番組情報表示欄
１１５・・・日付、時間表示領域
１２５・・・ジョイスティック
１３０・・・日付表示領域
１３１・・・時刻表示部
１３２・・・チャンネル表示部
１３４、１３５・・・アイコン
１３７・・・簡易図
１３８・・・時刻表示欄
１３９・・・日にち表示欄
１４２、１４７、１４８、１６１・・・番組枠
１５０、１５１・・・表示領域枠
１５６・・・回転キー
１５７・・・スライドパッド
１６２・・・放送種別表示欄
【図１】
0004663445.tif 000002
【図２】
0004663445.tif 000003
【図３】
0004663445.tif 000004
【図４】
0004663445.tif 000005
【図５】
0004663445.tif 000006
【図６】
0004663445.tif 000007
【図７】
0004663445.tif 000008
【図８】
0004663445.tif 000009
【図９】
0004663445.tif 000010
【図１０】
0004663445.tif 000011
【図１１】
0004663445.tif 000012
【図１２】
0004663445.tif 000013
【図１３】
0004663445.tif 000014